(57)【要約】【課題】踵バンドが履用中に足踵部からずれ下がることがなく、長い時間の歩行や激しい動きにも安定した靴の状態で履用できるサンダルを提供する。【解決手段】サンダル台２に設けた甲掛部３の両側後部位置に踵バンド４の両端を回動できるように取付けたサンダル１であって、前記サンダル台２の踵側端部に踵当て用の立上がり片５を設け、前記踵バンド４の甲掛部からサンダル台２の後部に向けて突出する姿勢を立ち上がり片５に固定することができる。【選択図】図３
0003131450.tif 000002
【実用新案登録請求の範囲】
【請求項１】
サンダル台に設けた甲掛部の両側後部位置に踵バンドの両端を、踵バンドがこの甲掛部に外接する姿勢と甲掛部からサンダル台の後部に向けて突出する姿勢の間を回動できるように取付けたサンダルにおいて、
前記サンダル台の踵側端部に踵当て用の立上がり片を設け、前記踵バンドとこの立ち上がり片に、前記踵バンドの甲掛部からサンダル台の後部に向けて突出する姿勢を固定する一対の係合部を設けたことを特徴とするサンダル。
【請求項２】
上記サンダル台と甲掛部及び立上がり片が、柔軟性のある合成樹脂を用いて一体成形されていることを特徴とする請求項１に記載のサンダル。
【請求項３】
上記踵バンドは、両端に面ファスナーのベルトが延長状に取付けられ、甲掛部の両側後部位置に回転可能に取付けたベルト挿通環に前記ベルトを挿通して折り返し係合させることにより、甲掛部に取付ける両端部において長さの調整が可能になっていることを特徴とする請求項１又は２に記載のサンダル。
【請求項４】
上記踵バンドと立ち上がり片に設けた一対の係合部が、踵バンドの後部位置が上下に分離された複数の横桟となるよう長さ方向に沿って設けられ、前記立ち上がり片に対して抜き差し自在に挿入する上下複数のスリットと、前記立ち上がり片の前後面に前記踵バンドの横桟が嵌り合うよう設けた凹溝とで形成されていることを特徴とする請求項１乃至３の何れかに記載のサンダル。
【考案の詳細な説明】
【技術分野】
【０００１】
この考案は、甲掛部の両側後部位置に踵バンドを回動可能に取付けたサンダルにおいて、靴としての履用が可能なサンダルに関する。
【背景技術】
【０００２】
従来、甲掛部の両側後部位置に踵バンドを回動可能に取付け、短い時間の時はこの踵バンドを甲掛部の上に外接させて履用する場合と、長い時間の歩行や激しい動きをするときは、踵バンドを甲掛部からサンダル台の後部に向けて突出させ、踵のアキレス腱の部分を引掛けて履用する場合の選択ができるサンダルは知られている（例えば、特許文献１参照）。
【特許文献１】特開２００２−２７２５０３号公報
【考案の開示】
【考案が解決しようとする課題】
【０００３】
ところで、上記のようなサンダルは、踵バンドが回動可能になっているため、踵のアキレス腱の部分に引掛けて履用した場合、踵バンドが履用中に足踵部からずれ下がることがあり、安定した履用状態が得られないという問題がある。
【０００４】
また、足の大きさは人によって異なり、特にサンダルに対して履用する人の足が小さ目の場合、上記のような踵バンドのずれ下がりが確実に発生し、踵バンドを踵のアキレス腱の部分に引掛けた履用ができないものである。
【０００５】
そこで、この考案の課題は、履用する人の足が小さ目の場合でも踵バンドが履用中に足踵部からずれ下がることがなく、長い時間の歩行や激しい動きにも安定した靴の状態で履用できるサンダルを提供することにある。
【課題を解決するための手段】
【０００６】
上記の課題を解決するため、この考案は、サンダル台に設けた甲掛部の両側後部位置に踵バンドの両端を、踵バンドがこの甲掛部に外接する姿勢と甲掛部からサンダル台の後部に向けて突出する姿勢の間を回動できるように取付けたサンダルにおいて、前記サンダル台の踵側端部に踵当て用の立上がり片を設け、前記踵バンドとこの立ち上がり片に、前記踵バンドの甲掛部からサンダル台の後部に向けて突出する姿勢を固定する一対の係合部を設けた構成を採用したものである。
【０００７】
上記サンダル台と甲掛部及び立上がり片が、柔軟性のある合成樹脂を用いて一体成形されている構造とすることができる。
【０００８】
また、上記踵バンドは、両端に面ファスナーのベルトが延長状に取付けられ、甲掛部の両側後部位置に回転可能に取付けたベルト挿通環に前記ベルトを挿通して折り返し係合させることにより、甲掛部に取付ける両端部において長さの調整が可能になっているようにしてもよい。
【０００９】
更に、上記踵バンドと立ち上がり片に設けた一対の係合部が、踵バンドの後部位置が上下に分離された複数の横桟となるよう長さ方向に沿って設けられ、前記立ち上がり片に対して抜き差し自在に挿入する上下複数のスリットと、前記立ち上がり片の前後面に前記踵バンドの横桟が嵌り合うよう設けた凹溝とで形成されている構造にすることができる。
【００１０】
ここで、上記サンダル台は、甲掛部の両端から踵部における周縁が低い周壁となり、履用時に足を包むようになっていると共に、甲掛部には、多数の透孔がデザイン的な配置で設けてあり、通気性の確保や砂等の進入物の排出が行えるようになっている。
【００１１】
また、上記一対の係合部において、スリットは上下に二本を設けることにより三本の横桟を形成し、上記立ち上がり片の凹溝は外面に二本と内面に一本を設け、前記スリットを立ち上がり片に対して中間の横桟が内側に位置するよう挿入すれば、各横桟と凹溝は互いに弾力的に係合し、踵バンドを立ち上がり片から簡単に抜けないように安定よく強固に固定化することができる。
【考案の効果】
【００１２】
この考案によると、サンダル台の踵側端部に踵当て用の立上がり片を設け、踵バンドとこの立ち上がり片に一対の係合部を設けたので、踵バンドの甲掛部からサンダル台の後部に向けて突出する姿勢を固定することができ、履用する人の足が小さ目の場合でも踵バンドが履用中に足踵部からずれ下がることがなく、靴の状態で履用できるので長い時間の歩行や激しい動きにも安定した履用ができる。
【００１３】
また、立上がり片が柔軟性のある合成樹脂を用いてサンダル台と一体成形されているので、強度的に優れているだけでなく、踵バンドとに設けた係合部の係脱操作が円滑に行え、更に、踵バンドが長さの調整が可能になっているので、履用する人の足の変化に対応して最適の履用状態が得られる。
【００１４】
更に、一対の係合部を、踵バンドの後部位置に設けた上下複数のスリットと、立ち上がり片の前後面に前記踵バンドのスリットによる横桟が嵌り合うよう設けた凹溝とで形成したので、前記スリットを立ち上がり片に対して挿入すれば、横桟と凹溝は互いに弾力的に係合し、踵バンドを立ち上がり片から簡単に抜けないように安定よく強固に固定化することができる。
【考案を実施するための最良の形態】
【００１５】
以下、この考案の実施の形態を図示例に基づいて説明する。
【００１６】
図示のように、サンダル１は、サンダル台２の上に設けた甲掛部３の両側後部位置に踵バンド４の両端を、踵バンド４がこの甲掛部３に外接する姿勢と甲掛部３からサンダル台２の後部に向けて突出する姿勢の間を回動できるように取付け、前記サンダル台２の踵側端部に踵当て用の立上がり片５を設けて形成され、前記踵バンド４とこの立ち上がり片５に、前記踵バンド４の甲掛部３からサンダル台２の後部に向けて突出する姿勢を固定する一対の係合部６が設けられている。
【００１７】
上記サンダル台２と甲掛部３及び立上がり片５は、柔軟性のある合成樹脂を用いて一体成形され、サンダル台２は甲掛部３の両端から踵部における周縁が低い周壁７となり、履用時に足を包むようになっていると共に、甲掛部３の周囲や上面には、多数の透孔８がデザイン的な配置で設けてあり、通気性の確保や砂等の進入物の排出が行えるようになっている。
【００１８】
上記踵バンド４は、柔軟性のある合成樹脂の帯状体を用いて平面Ｕ字状に形成され、その両端に面ファスナーを用いたベルト９が延長状に取付けられ、甲掛部３の両側後部で下部位置に鋲１０で回転可能に取付けたベルト挿通環１１に前記ベルト９を挿通して折り返し係合させることにより、甲掛部３に取付ける両端部において長さの調整が可能になっている。
【００１９】
上記立上がり片５は、周壁７の上縁から起立して踵のアキレス腱の部分に対応する高さの舌片状となり、柔軟性のある合成樹脂の使用によって前後に撓むことができるようになっている。
【００２０】
上記踵バンド４を立上がり片５に固定する一対の係合部６は、踵バンド４の後部位置に、立上がり片５に挿入することのできる上下二条のスリット１２、１３を設け、踵バンド４の後部を上下三条の横桟１４、１５、１６にすると共に、立ち上がり片５の前後面に前記横桟１４、１５、１６が嵌り合う凹溝１７、１８、１９を設けて形成されている。
【００２１】
この立ち上がり片５の凹溝１７、１８、１９は、後ろ面の上下に二条の凹溝１７、１８とこの上下凹溝１７、１８間の前面側に一条の凹溝１９を設け、踵バンド４の中央に位置する横桟１５は、立ち上がり片５の厚みに対応して上下の横桟１４、１６よりも少し内側に位置させ、踵バンド４と立ち上がり片５の係合部分の納まりが安定するようにしている。
【００２２】
この考案のサンダルは、上記のような構成であり、履用が短い時間の時は、図１（ａ）、（ｂ）のように、踵バンド４を甲掛部３の上に被せて外接させた状態とすればよく、甲掛部３に足先側を挿入することでサンダルとして履用する。
【００２３】
また、長い時間の歩行や激しい動きをするときは、図２と図３のように、甲掛部３の上に被せた踵バンド４を、鋲１０を支点に後方へ回動させて甲掛部３からサンダル台２の後部に向けて突出させ、踵バンド４の後部に設けたスリット１２、１３を立ち上がり片５に対して、上下の横桟１４、１６が立ち上がり片５の後部外面に位置し、中央の横桟１５が立ち上がり片５の前面に位置するように上から挿入し、後面の凹溝１７、１８に横桟１４、１６を、また、前面の凹溝１９に横桟１５をそれぞれ嵌め込む。
【００２４】
このように、踵バンド４を立ち上がり片５に係止すると、踵バンド４は甲掛部３からサンダル台２の後部に向けて突出し、踵のアキレス腱の部分を引っ掛ける姿勢が固定化され、サンダル台２の後部は、踵当て用の立上がり片５と踵バンド４が足の踵部分を包む構造となる。
【００２５】
従って、甲掛部３に足先側を挿入して足の踵部分を踵当て用の立上がり片５と踵バンド４で囲まれた部分に納めて履用すれば、サンダル１は足の全体にフィットする靴となり、長い時間の歩行や激しい動きにも踵バンド４が足の踵部分からずれ落ちるようなことがなく、安定した履用状態が得られる。
【００２６】
なお、踵バンド４は、横桟１４、１５、１６と凹溝１７、１８、１９の係合を解きながら踵当て用の立上がり片５から抜き取れば、甲掛部３の上に被せて外接させた状態に戻すことができる。
【図面の簡単な説明】
【００２７】
【図１】（ａ）はこの考案に係るサンダルの踵バンドを甲掛部の上に被せた状態の平面図、（ｂ）は同要部を切り欠いた正面図
【図２】（ａ）はこの考案に係るサンダルの踵バンドを甲掛部から後方に回動させた途中の状態を示す要部の斜視図、（ｂ）は踵バンドを立ち上がり片に係止させた状態を示す要部の斜視図
【図３】この考案に係るサンダルの踵バンドを立ち上がり片に係止させて靴の状態にした要部の拡大した縦断正面図
【符号の説明】
【００２８】
１        サンダル
２        サンダル台
３        甲掛部
４        踵バンド
５        踵当て用の立上がり片
６        係合部
７        周壁
８        透孔
９        ベルト
１０      鋲
１１      ベルト挿通環
１２      スリット
１３      スリット
１４      横桟
１５      横桟
１６      横桟
１７      凹溝
１８      凹溝
１９      凹溝
【図１】
0003131450.tif 000003
【図２】
0003131450.tif 000004
【図３】
0003131450.tif 000005